Podtech/llm-jp-corpus-v4-ja_patent huggingface dataset:
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
少なくとも１種のテルペンおよび少なくとも１種のカルボニル化合物の混合物を包含するタンパク質結合剤；ならびに
１種以上のオフノートブロッキング化合物を含み;
ここで、オフノートブロッキング化合物とタンパク質結合剤との重量比が、１：１〜約２０：１である、フレーバーシステム。
【請求項２】
少なくとも１種のテルペンが、カロテン；モノテルペン；セスキテルペン；サポニン；脂質；トリテルペノイド；アルファ−ピネン；シス−ベータ−オシメンおよびビサボレンからなる群から選択される、請求項１に記載のフレーバーシステム。
【請求項３】
少なくとも１種のテルペンが、アルファ-カロテン；ベータ-カロテン；ガンマ-カロテン；デルタ−カロテン；リコペン；ニューロスポレン;フィトフルエン；フィトエン；カンタキサンチン；クリプトキサンチン；ゼアキサンチン；アスタキサンチン；ルテイン;ルビキサンチン；リモネン；ペリリルアルコール；カリオフィレン；β-カリオフィレン；ジンギベレン；フィトステロール；カンペステロール；ベータシトステロール；ガンマシトステロール；スチグマステロール；トコフェロール；オメガ−３、−６、および−９脂肪酸；オレアノール酸；ウルソール酸；ベツリン酸；モロン酸；アルファ-ビサボレンおよびガンマ-ビサボレンからなる群から選択される、請求項１に記載のフレーバーシステム。
【請求項４】
少なくとも１種のカルボニル化合物が、アルデヒドおよびケトンからなる群から選択される、請求項１に記載のフレーバーシステム。
【請求項５】
少なくとも１種のカルボニル化合物が、アセトン；アセチルメチルカルビノール；アセトフェノン；２−ブタノン；Ｌ−カルボン；Ｄ−カルボン；ジアセチル；２−ヘプタノン；β−イオノン；Ｌ−メントン；アニシルアセトン；メチルシクロペンテノロン；メチルノニルケトン；メチルヘプテノン；２−ノナノン；２−オクタノン；２−ペンタノン；２−ウンデカノン;４−ヒドロキシ−２，５−ジメチル−３（２Ｈ）−フラノン；ノートカトン；トリデカノン；テトラデカラクトン；デカラクトン；ブチロラクトン；２−トリデカノン；ベンズアルデヒド；ｎ−ブチルアルデヒド；イソブチルアルデヒド；シンナムアルデヒド；シトロネラール；デカナール；ドデセナール；ヘキサナール；アルデヒドＣ−１２；アルデヒドＣ−８；アセトアルデヒド；トランス−２−ヘキセナール；アニシルアルデヒド；トランス２−デセナール；シス−３−ヘキセナールおよびシス−４−ヘプテナールからなる群から選択される、請求項１に記載のフレーバーシステム。
【請求項６】
オフノートブロッキング化合物が、脂肪酸；カルボニル類；硫黄；スイートブラウン；甘味料；ラクトン類およびジュース派生物からなる群から選択される、請求項１に記載のフレーバーシステム。
【請求項７】
オフノートブロッキング化合物が、ノナン酸；デカン酸；ドデカン酸；テトラデカン酸；ヘキサデカン酸；オレイン酸；オクタン酸；９−デセン酸；ヘキサン酸；アセトイン；アセチルプロピオニル；２−ヘプタノン；２−ノナノン；２−ウンデカノン；シス−４−ヘプテナール；ジメチルスルフィド；ジメチルトリスルフィド；マルトール；バニリン；シクロペンテノロン；フラーネオール；バニラ抽出物；バニラ派生物；カラメル抽出物；コンデンスミルク派生物；エチルカプラート；エチルドデカノアート；エチルミリスタート；エチルパルミタート；エチルオレアート；ステビオールグリコシド；レバウジオシド類；ルブソシド；ラカンカ抽出物；モグロシドＶ；エリスリトール；グルコシル化ステビオール配糖体；砂糖蒸留物；蜂蜜蒸留物；ガンマデカラクトン；デルタデカラクトン；デルタドデカラクトン；ガンマウンデカラクトン；マソイアラクトン；イチゴジュース派生物；キュウリジュース派生物；リンゴジュース派生物；サクランボジュース派生物；キウイジュース派生物およびアプリコットジュース誘導体からなる群から選択される、請求項１に記載のフレーバーシステム。
【請求項８】
オフノートブロッキング化合物とタンパク質結合剤化合物との重量比が、約１：１〜約５：１である、請求項１に記載のフレーバーシステム。
【請求項９】
請求項１のフレーバーシステムを包含する、ヨーグルト製品。
【請求項１０】
少なくとも５種のオフノートブロッキング化合物をさらに含む、請求項１に記載のフレーバーシステム。
【請求項１１】
非動物性タンパク質；
水性成分；
少なくとも１種のテルペンおよび少なくとも１種のカルボニル化合物の混合物を包含するタンパク質結合剤；
１種以上のオフノートブロッキング化合物；および
フレーバー剤；
を含み、
ここで、タンパク質結合剤およびオフノートブロッキング化合物が、タンパク質結合剤およびオフノートブロッキング化合物の両方を含まない同じ飲料と比較して、タンパク質飲料における改善したフレーバー放出を提供するのに十分な濃度において存在する、
タンパク質飲料組成物。
【請求項１２】
非動物性タンパク質が、穀物；マメ科植物；豆類；種子；油糧種子；ナッツ；藻類；真菌タンパク質；昆虫および葉タンパク質からなる群から選択される、請求項１１に記載のタンパク質飲料組成物。
【請求項１３】
非動物性タンパク質が、米；キビ；トウモロコシ；大麦；小麦；オートムギ；ソルガム；ライムギ；テフ；ライ小麦；アマランス；ソバ；キノア；大豆；ゴマ；緑豆；ひよこ豆；ガルバンゾー；エンドウ豆；ソラマメ；レンズ豆；リママメ；ルピナス；ピーナッツ；キマメ；ラナービーンズ；インゲン豆；白インゲン豆；うずら豆；小豆；ササゲ（cowpea）；黒目豆；クロガラシ；からし菜；ナタネ；キャノーラ；ベニバナ；ヒマワリ種子；亜麻；大麻種子；ケシの実；かぼちゃ；チア；ゴマ；アーモンド；クルミ；ブラジル；マカダミア；カシューナッツ；栗；ヘーゼルナッツ；パイン；ピーカン；ピスタチオ；銀杏；ケルプ；ワカメ；スピルリナ；クロレラからなる群から選択される、請求項１１に記載のタンパク質飲料組成物。
【請求項１４】
飲料が、液体の、すぐに飲める飲料である、請求項１１に記載のタンパク質飲料組成物。
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
インタラクティブなメッシュ編集のためのシステムであって：
解剖学的な構造を示す３次元画像を表現する画像データにアクセスするように構成される画像データ・インターフェース；
プロセッサであって：
前記解剖学的な構造をセグメント化するために前記３次元画像に過去にマッピングされたメッシュを規定するメッシュ・データを取得し；
前記３次元画像及び前記マッピングされたメッシュの表示を、前記表示を規定する１つ以上の表示パラメータに基づいて生成し；及び
ディスプレイにおいてディスプレイするための表示を表現する表示データを生成するように構成されるプロセッサ；
前記表示の中で示されるメッシュの少なくとも一部に対してマッピングされる編集処理を表すユーザー入力データを受信するユーザー入力インターフェース；
を有し、前記プロセッサは、前記編集処理を表すユーザー入力データを受信すると、前記メッシュの一部分の局所的な向きに基づいて、１つ以上の表示パラメータを設定するように構成され；
前記メッシュの一部分は一群のメッシュ表面要素を含み、前記プロセッサは、前記一群のメッシュ表面要素のうちの前記メッシュ表面要素の法線ベクトルに統計関数を適用することで、前記メッシュの一部分の局所的な向きを決定するように構成され；
前記一群のメッシュ表面要素は、リファレンス・メッシュ表面要素の或る半径の範囲内にあり、
前記プロセッサは、ａ）前記メッシュ表面要素の法線ベクトルに統計関数を適用した結果と、ｂ）前記リファレンス・メッシュ表面要素の法線ベクトルとの間の差分を決定し、前記差分が第１の所定の閾値を超える場合、前記統計関数の結果を、決定された局所的な向きとして利用することを省略するように構成される、システム。
【請求項２】
前記プロセッサは、前記メッシュの一部分に実質的に垂直に前記３次元画像と交わるように前記表示を規定する１つ以上の表示パラメータを設定することにより、直交表示を設定するように構成される、請求項１に記載のシステム。
【請求項３】
前記プロセッサは、前記編集処理を示すユーザー入力データを受信すると、前記メッシュの一部分を示す初期表示から、前記直交表示へ切り替えるように構成される、請求項２に記載のシステム。
【請求項４】
前記プロセッサは、前記初期表示が前記メッシュの一部分と平行に前記３次元画像と交わる場合、又は所定の角度未満の交差角度で交わる場合に、切り替えを行うように構成される、請求項３に記載のシステム。
【請求項５】
前記統計関数は平均又はメジアンである、請求項１に記載のシステム。
【請求項６】
前記プロセッサは、前記差分が前記第１の所定の閾値を超える場合：
メッシュ表面要素の法線ベクトルが前記統計関数の結果から第２の所定の閾値未満しか逸脱していない、前記一群のメッシュ表面要素の部分集合を決定し；及び
前記部分集合のうちのメッシュ表面要素の法線ベクトルに前記統計関数を適用することにより、前記メッシュの一部分の局所的な向きを決定するように構成される、請求項１に記載のシステム。
【請求項７】
前記プロセッサは、前記メッシュの一部分の場所の関数として決定される解剖学的な構造の中心線に実質的に垂直に前記３次元画像と交わるように表示を規定するために、前記１つ以上の表示パラメータを設定するように構成される、請求項１に記載のシステム。
【請求項８】
請求項１に記載のシステムを有するワークステーション。
【請求項９】
請求項１に記載のシステムを有するイメージング装置。
【請求項１０】
インタラクティブなメッシュ編集のための方法であって：
解剖学的な構造を示す３次元画像を表現する画像データにアクセスするステップ；
前記解剖学的な構造をセグメント化するために前記３次元画像に過去にマッピングされたメッシュを規定するメッシュ・データを取得するステップ；
表示の中で示されるメッシュの少なくとも一部に対して適用される編集処理を表すユーザー入力データを受信するステップ；
前記３次元画像及び前記マッピングされたメッシュの表示を、前記表示を規定する１つ以上の表示パラメータに基づいて生成するステップ；
ディスプレイにおいてディスプレイするための表示を表現する表示データを生成するステップ；
を有し、前記表示を生成することは、前記編集処理を表すユーザー入力データを受信すると、前記メッシュの一部分の局所的な向きに基づいて、１つ以上の表示パラメータを設定することを含み、
前記メッシュの一部分は一群のメッシュ表面要素を含み、プロセッサは、前記一群のメッシュ表面要素のうちの前記メッシュ表面要素の法線ベクトルに統計関数を適用することで、前記メッシュの一部分の局所的な向きを決定するように構成され；
前記一群のメッシュ表面要素は、リファレンス・メッシュ表面要素の或る半径の範囲内にあり、
前記プロセッサは、ａ）前記メッシュ表面要素の法線ベクトルに統計関数を適用した結果と、ｂ）前記リファレンス・メッシュ表面要素の法線ベクトルとの間の差分を決定し、前記差分が第１の所定の閾値を超える場合、前記統計関数の結果を、決定された局所的な向きとして利用することを省略するように構成される、方法。
【請求項１１】
請求項１０に記載の方法をプロセッサ・システムに実行させる命令を有するコンピュータ・プログラムを有する非一時的なコンピュータ読み取り可能な記憶媒体。
【手続補正２】
【補正対象書類名】明細書
【補正対象項目名】発明の名称
【補正方法】変更
【補正の内容】
【発明の名称】インタラクティブ・メッシュ編集システム及び方法
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
Ｘ線放射のビームを放出するＸ線源と、
撮像されるべき被写体を収容する検査領域をまたいで前記Ｘ線源と対向して配置されるＸ線検出器と、
前記Ｘ線源と前記Ｘ線検出器との間において、微分位相コントラスト撮像及び／又は暗視野撮像を実行するための動作の間に前記Ｘ線放射のビーム内に少なくとも部分的に配置される干渉計であって、前記Ｘ線放射について前記Ｘ線検出器により検出可能な干渉パターンを変調するための少なくとも１つの格子を有する干渉計と、
を有するＸ線撮像装置であって、
前記少なくとも１つの格子のフットプリントは前記Ｘ線検出器の放射感知領域のフットプリントより小さく、
当該撮像装置は、撮像動作の間において、前記少なくとも１つの格子を前記Ｘ線検出器に対して走査目的で視野を横切って走査運動で移動させる一方、前記Ｘ線検出器は前記検査領域に対して静止状態に留まる、
Ｘ線撮像装置。
【請求項２】
前記少なくとも１つの格子のフットプリントの１つの寸法が、前記Ｘ線検出器のフットプリントの対応する寸法と実質的に同一の広がりを有する、請求項１に記載のＸ線撮像装置。
【請求項３】
前記Ｘ線検出器が全視野Ｘ線検出器である、請求項１に記載のＸ線撮像装置。
【請求項４】
当該Ｘ線撮像装置が、前記走査運動とは異なる前記少なくとも１つの格子の他の運動を行わせる、請求項１ないし３の何れか一項に記載のＸ線撮像装置。
【請求項５】
前記撮像動作の間において、前記少なくとも１つの格子又は前記Ｘ線検出器に対して前記被写体の運動を行わせる、請求項１ないし４の何れか一項に記載のＸ線撮像装置。
【請求項６】
前記干渉計は他の第２格子を有し、該第２格子は同様に走査運動で移動可能であり、これら少なくとも２つの格子が前記走査運動の間において互いに一定の空間的関係に留まる、請求項１ないし５の何れか一項に記載のＸ線撮像装置。
【請求項７】
前記２つの格子が前記検査領域の互いに反対の側に配置される、請求項６に記載のＸ線撮像装置。
【請求項８】
前記２つの格子が前記検査領域の互いに同一の側に配置される、請求項６に記載のＸ線撮像装置。
【請求項９】
前記走査運動を直線経路に沿って実行する、請求項１ないし８の何れか一項に記載のＸ線撮像装置。
【請求項１０】
前記走査運動を湾曲された経路に沿って実行する、請求項１ないし８の何れか一項に記載のＸ線撮像装置。
【請求項１１】
前記Ｘ線検出器がモノリシック構造を有する、請求項１ないし１０の何れか一項に記載の撮像装置。
【請求項１２】
前記撮像動作の間において、前記Ｘ線源を前記走査運動と実質的に平行な経路に沿って移動させる、請求項１ないし１１の何れか一項に記載のＸ線撮像装置。
【請求項１３】
前記Ｘ線源が移動可能な経路に実質的に平行に連なって配置された複数のソース格子を更に有する、請求項１２に記載のＸ線撮像装置。
【請求項１４】
前記走査運動が垂直又は水平である、請求項１ないし１３の何れか一項に記載のＸ線撮像装置。
【請求項１５】
前記少なくとも１つの格子の線引きが前記走査運動に対して実質的に平行な方向に又は前記走査運動に対して実質的に垂直な方向に延びる、請求項１ないし１４の何れか一項に記載のＸ線撮像装置。
【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
Ｘ線放射を生成する放射源と、
Ｘ線放射を検出する検出器と、
Ｘ線撮像のために対象物体を配置するための物体収容空間と、
Ｘ線放射変調構成部と、
制御ユニットとを備え、
前記物体収容空間は、前記放射源と前記検出器との間に配置され、
前記Ｘ線放射変調構成部は、前記放射源と前記物体収容空間との間に配置され、
前記Ｘ線放射変調構成部は、前記Ｘ線放射の一部分を前記検出器の方へ偏向させるために少なくとも１つの鏡で前記放射源の前記Ｘ線放射の前記一部分の全反射を提供することによってＸ線放射を変調させるための当該少なくとも１つの鏡を備え、その結果、前記物体収容空間の領域内で、反射されない主要Ｘ線放射と前記全反射による副次Ｘ線放射との組合せの形でＸ線放射が提供され、
前記制御ユニットは、前記物体収容空間における前記主要Ｘ線放射と前記副次Ｘ線放射との前記組合せの形で前記Ｘ線放射の強度の減衰を判定し、前記減衰に応じて前記Ｘ線放射変調構成部を制御し、
前記Ｘ線放射変調構成部は、前記少なくとも１つの鏡を少なくとも第１の位置と第２の位置との間で変位させるために少なくとも１つのアクチュエータをさらに備え、
前記副次Ｘ線放射の強度と前記主要Ｘ線放射の強度との比は、前記少なくとも１つの鏡の前記第１の位置で、前記少なくとも１つの鏡の前記第２の位置より大きくなり、
前記放射源と前記検出器との間に視準構成部がさらに設けられ、
前記視準構成部は、複数のＸ線ビームを前記物体収容空間に提供する複数のプリコリメータ開口を備えるプリコリメータを備え、前記プリコリメータは、前記Ｘ線放射変調構成部と前記物体収容空間との間に配置され、前記Ｘ線放射変調構成部は、各プリコリメータ開口に対して、前記少なくとも１つの鏡の少なくとも１つの関連する鏡を備える、
Ｘ線撮像装置。
【請求項２】
前記放射源によって生成される前記Ｘ線放射は、少なくとも主要部分及び副次部分を含み、前記主要部分は、前記主要Ｘ線放射を形成するために、前記検出器に直接向かう伝播方向を有し、前記副次部分は、前記第１の位置にある前記少なくとも１つの鏡に向かう伝播方向を有し、前記少なくとも１つの鏡は、前記副次Ｘ線放射を形成するため前記副次部分の放射を前記検出器の方へ全反射するため少なくとも前記第１の位置副次副次に配置され、対象物体を放射するために、前記主要Ｘ線放射と前記副次Ｘ線放射との和が、加算された有効Ｘ線放射を提供する、請求項１に記載のＸ線撮像装置。
【請求項３】
前記少なくとも１つの鏡は、前記放射源によって提供される前記Ｘ線放射の前記主要部分に対して側方に配置される、請求項２に記載のＸ線撮像装置。
【請求項４】
前記視準構成部は、前記物体収容空間と前記検出器との間に配置されたポストコリメータをさらに備える、請求項１乃至３のいずれか一項に記載のＸ線撮像装置。
【請求項５】
前記Ｘ線放射変調構成部は、複数の前記アクチュエータを備え、前記Ｘ線放射変調構成部の各鏡が、前記複数のアクチュエータのうちの１つのアクチュエータに結合され、各鏡が、結合された前記アクチュエータによって、独立して変位可能である、請求項１に記載のＸ線撮像装置。
【請求項６】
前記Ｘ線放射変調構成部は、複数の前記アクチュエータを備え、前記Ｘ線放射変調構成部の各アクチュエータが、前記Ｘ線放射変調構成部の少なくとも２つの鏡のグループに結合され、各グループの鏡が、結合された前記アクチュエータによって共に変位可能である、請求項１に記載のＸ線撮像装置。
【請求項７】
前記プリコリメータの各開口に対して、関連するポストコリメータ開口を備えるポストコリメータが設けられ、複数の検出器を備える検出器構成部が設けられ、前記ポストコリメータは、前記物体収容空間と前記検出器構成部との間に配置され、前記ポストコリメータの各開口に対して、前記ポストコリメータのそれぞれの開口を通過するＸ線放射を検出するために、前記検出器の１つが関連付けられ、その結果、開口に依存する検出器信号が提供され、前記開口に依存する検出器信号に基づいて、前記鏡の個々の変位又は少なくとも２つの鏡のグループの変位を制御するために、制御ユニットが設けられる、請求項６に記載のＸ線撮像装置。
【請求項８】
前記プリコリメータは、コリメータスリット構成部として形成される、請求項１、５、６、又は７に記載のＸ線撮像装置。
【請求項９】
請求項１乃至８のいずれか一項に記載のＸ線撮像装置と、
撮像処理ユニットと、
画像データ出力ユニットとを備え、
前記撮像処理ユニットは、前記検出器又は前記検出器構成部から信号を受け取り、前記信号に基づいて物体の画像データを計算し、
前記画像データ出力ユニットは、さらなる目的で前記画像データを提供する、
Ｘ線撮像システム。
【請求項１０】
Ｘ線放射を変調する方法であって、前記方法は、
Ｘ線放射を生成し、前記Ｘ線放射の主要部分を、反射されない主要Ｘ線放射として検出器の方へ誘導するステップａ）と、
前記Ｘ線放射の副次部分を鏡によって反射させるステップｂ）であって、
前記ステップｂ）において、前記反射は、副次Ｘ線放射として前記Ｘ線放射の前記副次部分を前記検出器の方へ偏向させるために、前記Ｘ線放射の前記副次部分の全反射として提供され、
前記Ｘ線放射の変調のために、前記ステップｂ）は、少なくとも第１の位置と第２の位置との間で前記鏡を変位させることを含み、
前記主要Ｘ線放射の強度と前記副次Ｘ線放射の強度との比は、前記鏡の前記第１の位置で、前記鏡の前記第２の位置より大きくなり、
変調された前記Ｘ線放射を検出すること
がさらに提供される、当該ステップｂ）と、
前記物体収容空間内の前記主要Ｘ線放射と前記副次Ｘ線放射との組合せである前記Ｘ線放射の強度の減衰を判定するステップｃ）と、
前記減衰に応じて前記変調を制御するステップｄ）とを有し、
変調器と検出器との複数の対が設けられ、各対は、前記ステップｂ）で前記Ｘ線放射を反射する鏡と、関連する検出器とを備え、
前記変調のために、各鏡が、前記関連する検出器によって判定される前記物体収容空間内の前記主要Ｘ線放射及び／又は前記副次Ｘ線放射の前記強度の前記減衰に応じて個々に制御される、方法。
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
２０ｋｅＶ〜４０ｋｅＶのエネルギー帯域幅内のエネルギーを有するＸ線エネルギーの多色スペクトルを放出するＸ線放射を生成するためのソースと、
Ｘ線撮像のために対象物体を配置するための物体収容空間と、
Ｘ線コリメータ配列と、
Ｘ線ミラー配列と、
を備えるＸ線撮像装置であって、
前記Ｘ線コリメータ配列は、少なくとも、コリメートされたＸ線放射を前記物体収容空間に与えるために前記ソースと前記物体収容空間との間に配置されたプレコリメータを備え、
前記Ｘ線ミラー配列は、前記ソースと前記プレコリメータとの間に配置され、
前記Ｘ線ミラー配列は、前記プレコリメータに向けて前記Ｘ線放射の一部分を偏向させるために、前記Ｘ線放射の前記一部分のＸ線エネルギーの全体多色スペクトルの全反射をもたらすことによって前記ソースのＸ線放射を誘導し、それによって、前記物体収容空間の領域において、反射されない主要Ｘ線放射と全反射による副次Ｘ線放射とが結合された形態で強化された放射が与えられるようにするための２つのミラーの組を備え、
前記２つのミラーの組のミラーは、ゼロより大きな広がり角で互いに対向し、それによって、前記ミラーの組が、入口幅を有するＸ線入口と、前記入口幅よりも小さい出口幅を有するＸ線出口とを設けるようにする、Ｘ線撮像装置。
【請求項２】
前記主要Ｘ線放射は、前記ソースと前記プレコリメータとの間に主要ビーム円錐を形成し、
前記ミラーの組の前記ミラーは、前記主要ビーム円錐の外側に当接し、
前記広がり角は、前記主要ビーム円錐の円錐角に対応し、円錐角に対する最大のずれは１０％である、請求項１に記載のＸ線撮像装置。
【請求項３】
前記ミラーの組の前記ミラーの各々の長さＬＭは、不等式
ＬＭ≦ＬＭｍａｘ＝ＬＷ／（Θｃ２−Θｍ）
が成り立つように配置され、
ＬＷは、前記ミラーの組の前記Ｘ線出口の前記出口幅であり、
Θｃ２は、前記ミラーの組のミラーにおける臨界反射角であり、
Θｍは、前記ミラーの組の前記ミラーの前記広がり角である、請求項１又は２に記載のＸ線撮像装置。
【請求項４】
前記ミラーの組の前記Ｘ線出口は、前記プレコリメータの開口に当接する、請求項１乃至３のいずれか一項に記載のＸ線撮像装置。
【請求項５】
前記プレコリメータの開口は、前記ミラーの組によって形成される、請求項１乃至４のいずれか一項に記載のＸ線撮像装置。
【請求項６】
前記ミラーの組は、前記ミラーの組で反射される前記ソースの前記Ｘ線放射の前記一部分について、前記ミラーの組の前記ミラーで最大で１つ又は２つの全反射が生じるように配置される、請求項１乃至５のいずれか一項に記載のＸ線撮像装置。
【請求項７】
前記プレコリメータは、少なくとも２つの開口を備え、
前記プレコリメータの開口ごとに、前記Ｘ線ミラー配列は、関連するミラーの組を備える、請求項１乃至６のいずれか一項に記載のＸ線撮像装置。
【請求項８】
前記Ｘ線コリメータ配列は、ポストコリメータを更に備え、
前記物体収容空間は、前記プレコリメータと前記ポストコリメータとの間に配置される、請求項１乃至７のいずれか一項に記載のＸ線撮像装置。
【請求項９】
前記ミラーの組の各ミラーは、前記全反射を与えるためのコーティング層を有する基板を備え、
前記コーティング層と前記基板との間に、反射されずにミラー面を通過し、前記コーティング層に入る、入射放射からの散乱放射を低減する境界が設けられる、請求項１乃至８のいずれか一項に記載のＸ線撮像装置。
【請求項１０】
前記コーティング層と前記基板との間に、不均一な界面の領域が前記境界として設けられる、請求項９に記載のＸ線撮像装置。
【請求項１１】
前記界面は、ランダムに粗く構築された表面プロファイルを有する、請求項１０に記載のＸ線撮像装置。
【請求項１２】
前記界面は、０．０５ｍｍ〜１．５ｍｍの周期的高さ及び０．５ｍｍ〜５ｍｍの周期を有する周期的プロファイルを有する、請求項１０に記載のＸ線撮像装置。
【請求項１３】
前記コーティング層の厚みは１０ｎｍ〜２５ｎｍである、請求項９乃至１２のいずれか一項に記載のＸ線撮像装置。
【請求項１４】
請求項１乃至１３のいずれか一項に記載のＸ線撮像装置と、
前記物体収容空間を通過したＸ線放射を検出するための検出器と、
撮像処理ユニットと、
画像データ出力ユニットと、
を備えるＸ線撮像システムであって、
前記撮像処理ユニットは、前記検出器から信号を受信し、前記信号に基づいて物体の画像データを計算し、
前記画像データ出力ユニットは、更なる目的のために前記画像データを提供する、Ｘ線撮像システム。
【請求項１５】
前記ソース、前記Ｘ線ミラー配列、前記Ｘ線コリメータ配列、及び前記検出器を機械的に接続するための装着機構と、
前記装着機構を変位させるように前記装着機構に結合されたアクチュエータと、
前記アクチュエータを制御する制御ユニットと、
を更に備え、
前記制御ユニットは、前記検出器から信号を受信し、前記検出器から受信した信号に基づいて、制御信号を計算する、請求項１４に記載のＸ線撮像システム。
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
光学系であって、
光ビームを生成し、前記光ビームを光路に向けるよう構成された、光ビーム生成器と、
前記光ビームが入射する、前記光ビームの方向を変えるための、前記光路における光学素子と、
前記光学素子に装着され、前記光学素子に入射した前記光ビームの特性を示す情報を生成するよう構成された、センサと、
前記センサにより生成された情報に依存して、前記光学系の１つ以上の特性を調節するよう構成された、コントローラと、
を有し、
前記光学素子は、略反射性の面を持ち、前記センサは、前記略反射性の面に入射した前記光ビームの特性を示す情報を生成するよう構成され、
前記センサは、前記略反射性の面の後面に装着され、前記略反射性の面は、前記光ビームの反射されなかった部分が、前記センサによる検出のため、前記反射性の面を通過することを可能とするよう構成された、光学系。
【請求項２】
前記光路は、前記光ビームが機能を実行するよう構成された動作部分を含み、前記光学素子は、前記光ビームを前記動作部分に向けるよう構成された、請求項１に記載の光学系。
【請求項３】
前記光路は、前記光ビームが機能を実行するよう構成された動作部分を含み、前記光学素子は、前記光ビームを前記動作部分から出るように向けるよう構成された、請求項１に記載の光学系。
【請求項４】
前記光路は、前記光ビームが機能を実行するよう構成された動作部分を含み、前記光学素子は、前記光ビームを前記動作部分に向けるよう構成された第１の部分と、前記光ビームを前記動作部分から出るように向けるよう構成された第２の部分と、を持つ、請求項１に記載の光学系。
【請求項５】
前記光学素子の前記第１の部分及び前記第２の部分は、それぞれ略反射性の面を持ち、前記センサは、それぞれ前記第１の部分及び前記第２の部分の前記略反射性の面に入射した前記光ビームの特性を示す情報を生成するよう構成された第１のセンサ要素及び第２のセンサ要素を有する、請求項１に記載の光学系。
【請求項６】
前記第１のセンサ要素は、前記光学素子の前記第１の部分の前記略反射性の面の後面に装着されても良く、前記第２のセンサ要素は、前記光学素子の前記第２の部分の前記略反射性の面の後面に装着されても良く、前記第１の部分及び前記第２の部分の前記略反射性の面は、それぞれ前記第１のセンサ要素及び前記第２のセンサ要素による検出のため、前記光ビームの反射されなかった部分が、前記反射性の面を通過することを可能とするよう構成された、請求項５に記載の光学系。
【請求項７】
前記センサは、前記光ビームの位置を検出するよう構成された、請求項１乃至６のいずれか一項に記載の光学系。
【請求項８】
前記光ビームの動作部分の位置を自動的に調節するよう動作可能なアクチュエータを有しても良く、前記コントローラは、前記センサから信号を受信し、前記光ビームの動作部分の位置が所定の位置の外である場合に、前記信号に依存して、前記アクチュエータを動作させるよう構成された、請求項７に記載の光学系。
【請求項９】
前記光路の前記動作部分の少なくとも１つの特性を変更するよう構成されたレンズ構成を更に有する、請求項１乃至８のいずれか一項に記載の光学系。
【請求項１０】
前記光ビームが毛を切断するよう構成された、請求項１乃至９のいずれか一項に記載の光学系を有する、レーザシェービング装置。
【請求項１１】
凹部を有し、前記光学系は、前記光ビームの動作部分が、前記凹部に亘って延在するよう構成された、請求項１０に記載の装置。
【請求項１２】
筐体を更に有し、前記筐体は、皮膚係合面を有し、前記皮膚係合面は、使用の間に皮膚表面に当てられるよう構成され、前記皮膚係合面は、前記凹部に亘って延在する面内に存するよう構成され、
前記光学系は更に、低パワー光ビームを有し、前記低パワー光ビームは、皮膚に接触しても安全であるような、前記光ビームの動作部分よりも低い強度を持ち、
前記低パワー光ビームは、前記面に平行に前記凹部に亘って延在し、
前記低パワー光ビームは、前記光ビームの動作部と前記面との間に位置させられる、
請求項１１に記載の装置。
【請求項１３】
光学系の特性を調節する方法であって、前記光学系は、光ビームを生成し、前記光ビームを光路に向けるよう構成された、光ビーム生成器と、前記光ビームが入射する、前記光ビームの方向を変えるための、前記光路における光学素子と、前記光学素子に装着された、センサと、を持ち、
前記光学素子は、略反射性の面を持ち、前記センサは、前記略反射性の面に入射した前記光ビームの特性を示す情報を生成するよう構成され、前記センサは、前記略反射性の面の後面に装着され、前記略反射性の面は、前記光ビームの反射されなかった部分が、前記センサによる検出のため、前記反射性の面を通過することを可能とするよう構成され、
前記方法は、前記光ビームを前記光路に向けるよう、前記光学系を操作し、前記光ビームが、前記光学素子に入力するようにするステップと、前記センサを用いて、前記光学素子に入力した前記光ビームの特性を示す情報を生成するステップと、前記センサにより生成された情報に依存して、前記光学系の１つ以上の特性を調節するステップと、を有する方法。
【請求項１４】
前記光学系は、アクチュエータを有し、前記センサは、前記光ビームの位置を検出するよう構成され、前記光学系の１つ以上の特性を調節するステップは、前記光ビームが所定の位置に向かって進む、前記光路の動作部分の位置を自動的に調節するよう、前記アクチュエータを制御するステップを有する、請求項１３に記載の方法。
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
二つの回転可能なつまみを介して変位可能なシャフトを有する内視鏡に取り付け可能な制御ユニットであって、以下のものを含む制御ユニット：
（ａ）制御ユニットのハウジングに取り付けられたピボット支持体上に取り付けられかつ手の掌によって係合可能な第一インターフェースを含むユーザーインターフェース；及び
（ｂ）前記ユーザーインターフェースを介して操作可能な駆動ユニットであって、二つの回転可能なつまみを係合し、それによってユーザーが前記第一インターフェースを介して内視鏡のシャフトの変位を制御することができる第一駆動機構を含む駆動ユニット。
【請求項２】
二つの回転可能なつまみのうち第一の回転可能なつまみが、シャフトの上／下の変位を制御し、二つの回転可能なつまみのうち第二の回転可能なつまみが、シャフトの左／右の変位を制御し、さらに前記第一インターフェースが、シャフトの上／下と左／右の両方の変位を制御する、請求項１に記載の制御ユニット。
【請求項３】
前記第一駆動機構が、前記第一インターフェースを介して操作可能な少なくとも一つのモーターを含む、請求項１に記載の制御ユニット。
【請求項４】
前記少なくとも一つのモーターが、二つのつまみを操作する、請求項３に記載の制御ユニット。
【請求項５】
前記第一駆動機構が、前記少なくとも一つのモーターと二つのつまみの間に介在された一組の歯車を含む、請求項４に記載の制御ユニット。
【請求項６】
前記駆動ユニットが、内視鏡の作用通路を通して配置可能な手術器具の手動操作可能な端を係合するための第二駆動機構をさらに含む、請求項１に記載の制御ユニット。
【請求項７】
前記第一インターフェースに旋回可能に取り付けられかつ前記手の一つ以上の指によって係合可能な第二インターフェースであって、前記第二駆動機構を通して前記手術器具を操作するための第二インターフェースをさらに含む、請求項６に記載の制御ユニット。
【請求項８】
前記第一インターフェースに旋回可能に取り付けられ、かつ前記掌が前記第一インターフェースと係合されるときに前記手の甲に拘束力を付与するために弾性変形することができる要素を有する拘束具をさらに含む、請求項１に記載の制御ユニット。
【請求項９】
前記ピボット支持体が、ジンバルを入れられている、請求項１に記載の制御ユニット。
【請求項１０】
前記第二インターフェースが、前記手の親指及び人指し指を介して同時に操作可能なパッドを含む、請求項７に記載の制御ユニット。
【請求項１１】
前記第二駆動機構が、サーボ機構を含む、請求項６に記載の制御ユニット。
【請求項１２】
遠隔装置を無線制御するための第三インターフェースをさらに含む、請求項１に記載の制御ユニット。
【請求項１３】
前記手術器具が、前記第二インターフェースを介して制御可能なエフェクター端及び操縦可能なシャフトを含む、請求項７に記載の制御ユニット。
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
相補的なプラグコネクタ（４０）にプラグ接続可能に接続され、電子／電気装置または機器内に取り付けられるように構成された電気ソケットコネクタ（１０）において、
ケーシング（１１）と、
前記プラグコネクタの相補的な接続端子組立体（４３）に接続されるように前記ケーシング内に取り付けられた接続端子組立体（１３）と、
前記接続端子組立体の１つ以上の端子に相互接続された電子スイッチと、
識別システムであって、
前記電気ソケットコネクタおよび前記プラグコネクタが互いに接続されるたびに前記プラグコネクタの識別子モジュール（４６）により提供されるプラグ識別子を読み取るように構成された処理ユニットであって、前記処理ユニットは、前記プラグ識別子に基づいて前記１つ以上の端子を接続または分離するために前記電子スイッチを制御するため、前記電子スイッチに接続された出力部、および前記プラグ識別子を読み取るのに使用される少なくとも１つの入力部、を含むマイクロコントローラを含み、前記処理ユニットは、識別子が予めプログラムされた不揮発性メモリ（２７）をさらに含み、前記識別子は、前記プラグ識別子を認証するのに役立つ、処理ユニット、ならびに、
前記処理ユニットにより読み取られる前記プラグ識別子に基づいて接続ステータスを表示するための、光源を備える、前記ケーシングのプラグ受容キャビティを取り囲むリング形状のディスプレイユニット（１２）、を含む、識別システムと、
を含む、電気ソケットコネクタ（１０）。
【請求項２】
請求項１に記載の電気ソケットコネクタにおいて、
前記ケーシング（１１）は、ロックナット（１９ａ）を受容するためのねじ山付き外表面（１９）を含む、ソケットコネクタ。
【請求項３】
請求項１または２に記載の電気ソケットコネクタにおいて、
前記光源は、回路基板上に取り付けられた発光ダイオード（ＬＥＤ）のアレイを含み、
前記ディスプレイユニットは、透明または半透明のフランジを含み、
前記ＬＥＤのアレイは、前記透明または半透明のフランジの後ろに取り付けられて、２つ以上の色を生成するように構成され、色はそれぞれ、前記接続ステータスを示す、ソケットコネクタ。
【請求項４】
請求項１〜３のいずれか１項に記載の電気ソケットコネクタにおいて、
前記ディスプレイユニットは、「オン」または「オフ」など、特定のバックライトで照らされたサインを示すように文字を彫り込まれている、ソケットコネクタ。
【請求項５】
請求項１〜４のいずれか１項に記載の電気ソケットコネクタにおいて、
前記電子スイッチ（３２）は、識別前には、前記電気ソケットコネクタおよび前記プラグコネクタが互いから電気的に分離されている開放状態にある、ソケットコネクタ。
【請求項６】
請求項１〜５のいずれか１項に記載の電気ソケットコネクタにおいて、
前記電気ソケットコネクタの温度を監視し、前記温度が前記電気ソケットコネクタの前記不揮発性メモリに記憶された所定の値を超えると前記電子スイッチを開放状態に設定するように構成された、前記処理ユニットに接続された熱センサーをさらに含む、ソケットコネクタ。
【請求項７】
請求項１〜６のいずれか１項に記載の電気ソケットコネクタにおいて、
予めプログラムされた前記識別子は、ファミリー識別子（ＩＤ）であり、前記ファミリー識別子に対応するプラグ識別子を有する複数のプラグの接続を認可する、ソケットコネクタ。
【請求項８】
請求項１〜７のいずれか１項に記載の電気ソケットコネクタにおいて、
前記処理ユニットの前記マイクロコントローラは、読み取られた前記プラグ識別子を、前記不揮発性メモリから受け取った情報と比較し、前記情報を処理して、電圧信号を前記電子スイッチおよび前記ディスプレイユニットに送ることにより接続を承認または却下するように、構成されている、ソケットコネクタ。
【請求項９】
請求項１〜８のいずれか１項に記載の電気ソケットコネクタにおいて、
前記処理ユニットの前記マイクロコントローラは、前記プラグコネクタが前記電気ソケットコネクタに差し込まれ、前記電気ソケットコネクタから抜かれた回数をカウントし、前記回数を前記処理ユニットの前記不揮発性メモリに記憶させるように構成されている、ソケットコネクタ。
【請求項１０】
請求項１〜９のいずれか１項に記載の電気ソケットコネクタにおいて、
前記処理ユニットは、認可されたプラグコネクタが前記電気ソケットコネクタに差し込まれ、前記電気ソケットコネクタから抜かれた回数を、認可されていないプラグコネクタが前記電気ソケットコネクタに差し込まれた回数と区別するように、構成されている、ソケットコネクタ。
【請求項１１】
請求項９または１０に記載の電気ソケットコネクタにおいて、
前記処理ユニットは、前記回数が前記不揮発性メモリに記憶された所定の値に達するか、またはそれを超えた場合に、前記電子スイッチを開放状態に切り替えるように構成されている、ソケットコネクタ。
【請求項１２】
コネクタペア組立体において、
請求項１〜１１のいずれか１項に記載の電気ソケットコネクタと、
請求項１〜１１のいずれか１項に記載の電気ソケットコネクタ（１０）にプラグ接続可能に接続されるプラグコネクタ（４０）と、
を含み、
前記プラグコネクタは、プラグ識別子を備えた識別子モジュール（４２）、ならびにオプションとして前記接続ステータスを表示するＬＥＤおよび／または熱センサーを含む、コネクタペア組立体。
【請求項１３】
ソケットコネクタと使い捨てのプラグコネクタとの間の安全な接続履歴を管理する方法において、前記ソケットコネクタは、プラグ識別子リーダーおよび電子スイッチを含み、前記使い捨てのプラグコネクタは、プラグ識別子、および前記使い捨てのプラグコネクタと前記ソケットコネクタとの間の許容される接続サイクルの最大回数を表す整数が記憶された不揮発性メモリを含み、前記方法は、
ｉ）前記使い捨てのプラグコネクタと前記ソケットコネクタとを互いに接続する工程と、
ｉｉ）前記プラグ識別子リーダーによって前記プラグ識別子を読み取る工程と、
ｉｉｉ）前記プラグ識別子リーダーの読み出し情報が肯定的である場合に前記整数が所定の値に達しているかどうかを決定する工程と、
ｉｖ）前記整数が前記所定の値に達していない限り、前記使い捨てのプラグコネクタと前記ソケットコネクタとの間で安全な接続が確立されるたびに前記使い捨てのプラグコネクタの前記不揮発性メモリに記憶された前記整数を変更する工程と、
ｖ）前記整数が前記所定の値に達している場合に前記電子スイッチを開放状態に設定する工程と、
を含む、方法。
【請求項１４】
請求項１３に記載の方法において、
請求項１〜１１のいずれか１項に記載のソケットコネクタを提供する工程をさらに含む、方法。
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
品質測定報告を生成する方法であって、クライアントデバイスのミドルウェアユニットによって、
ブロードキャストまたはマルチキャストを介してサーバデバイスからメディアデータを受信するステップと、
受信された報告指示に従って前記メディアデータの前記受信をカバーする受信報告を生成するステップと、
前記メディアデータの少なくとも一部分を前記クライアントデバイスのターゲットアプリケーションに配信するステップと、
エクスペリエンス品質(QoE)報告を前記ターゲットアプリケーションから受信するステップと、
前記QoE報告のコンテンツを受信報告サーバに提供するステップと
を含む、方法。
【請求項２】
前記受信報告サーバが前記サーバデバイスと同じである、請求項1に記載の方法。
【請求項３】
前記ターゲットアプリケーションが前記QoEメトリックを送信すべき宛先アドレスとして前記クライアントデバイスのローカルホストアドレスを前記ターゲットアプリケーションにシグナリングするステップをさらに含む、請求項1に記載の方法。
【請求項４】
前記QoEメトリックを受信するステップが、指定されたローカルホストアドレスへの前記QoE測定報告のHTTP POSTサブミッションを前記ターゲットアプリケーションから受信するステップを含む、請求項3に記載の方法。
【請求項５】
報告されるべき前記QoEメトリックを示すデータを含む前記メディアデータに対するマニフェストファイルを前記ターゲットアプリケーションに送信するステップをさらに含む、請求項1に記載の方法。
【請求項６】
前記サーバデバイスに提供されるべき前記QoEメトリックを示す前記データを含むように、前記メディアデータに対する前記マニフェストファイルのオリジナルバージョンを修正するステップをさらに含む、請求項5に記載の方法。
【請求項７】
前記サーバデバイスに提供されるべき前記QoEメトリックを示す前記データを前記サーバデバイスから受信するステップをさらに含む、請求項6に記載の方法。
【請求項８】
前記マニフェストファイルが複数のメトリック要素を含み、前記複数のメトリック要素の各々が、前記サーバデバイスに提供されるべきそれぞれの属性メトリックを含む、請求項5に記載の方法。
【請求項９】
前記QoEメトリックが前記受信報告サーバに報告されるべきであることを示すデータを受信するステップをさらに含む、請求項1に記載の方法。
【請求項１０】
前記データを受信するステップが、前記QoEメトリックが圧縮されるべきかどうか、報告されるべきQoEメトリックのリスト、QoEメトリックの報告が前記ブロードキャストもしくはマルチキャストに対する受信報告に同期されるべきかどうか、またはQoEメトリックが報告されるべきである条件付き確率を表すDASH QoEサンプリングパーセンテージのうちの少なくとも1つを示すデータを受信するステップをさらに含む、請求項9に記載の方法。
【請求項１１】
前記データを受信するステップが、関連配信プロシージャ記述(ADPD)内で前記データを受信するステップを含む、請求項9に記載の方法。
【請求項１２】
前記QoEメトリックを提供するステップが、前記QoEメトリックおよび前記受信報告データを含む単一のドキュメントを前記サーバデバイスに送信するステップを含み、前記単一のドキュメントを送信するステップが、
前記単一のドキュメント内に前記QoEメトリックのマルチパートMIMEタイプに対する第1の値を設定するステップと、
前記単一のドキュメント内に前記受信報告データの前記マルチパートMIMEタイプに対する第2の異なる値を設定するステップと
を含むか、または
前記QoEメトリックを提供するステップが、前記QoEメトリックおよび前記受信報告データを含む単一のドキュメントを前記サーバデバイスに送信するステップを含み、前記単一のドキュメントを送信するステップが、
前記単一のドキュメント内に前記QoEメトリックの第1の拡張可能マークアップ言語(XML)ヘッダを設定するステップと、
前記単一のドキュメント内に前記受信報告データの第2の異なるXMLヘッダを設定するステップと
を含むか、または
前記QoEメトリックを受信するステップが第1のQoEメトリックのセットを前記第1のターゲットアプリケーションから受信するステップを含み、前記方法が、
前記第1のQoEメトリックのセットを含む複数のQoEメトリックを前記第1のターゲットアプリケーションを含む複数のターゲットアプリケーションから受信するステップ
をさらに含み、
前記QoEメトリックを提供するステップが、前記複数のQoEメトリックを含む報告を前記受信報告サーバに送信するステップを含む、
請求項1に記載の方法。
【請求項１３】
すべての受信されたデータについて前記QoEメトリックを報告する旨の命令を前記ターゲットアプリケーションに送信するステップと、
収集確率に基づいて前記報告のうちの少なくとも一部を廃棄するステップと
をさらに含む、請求項1に記載の方法。
【請求項１４】
品質測定報告を生成するためのクライアントデバイスであって、請求項1〜13のいずれか一項に記載のステップを実施するように構成される手段を備える、クライアントデバイス。
【請求項１５】
実行されたとき、クライアントデバイスのプロセッサに請求項1〜13のいずれか一項に記載のステップを実施させる命令を記憶した、コンピュータ可読記憶媒体。
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
ウエハを支持するように構成された表面を有するウエハチャックにおいて、前記表面は、前記表面上における前記ウエハの予期される摺動の方向において計測された、前記表面の粗度の勾配を極小化するように、摩擦学的な方式によって加工されていることを特徴とするウエハチャック。
【請求項２】
請求項１に記載のウエハチャックにおいて、前記予期される摺動の方向は、半径方向であることを特徴とするウエハチャック。
【請求項３】
請求項１に記載のウエハチャックにおいて、前記表面は、周囲方向におけるよりも半径方向において小さな摩擦係数を有することを特徴とするウエハチャック。
【請求項４】
請求項１に記載のウエハチャックにおいて、前記表面は、主には半径方向において方向付けられたスクラッチを有することを特徴とするウエハチャック。
【請求項５】
請求項１に記載のウエハチャックにおいて、前記表面は、好ましい向きを有するラッピングスクラッチを有し、前記好ましい向きは、半径方向であることを特徴とするウエハチャック。
【請求項６】
請求項１に記載のウエハチャックにおいて、前記表面は、星形形状のパターンにおけるスクラッチを有し、前記星形は、少なくとも８つのポイントを有することを特徴とするウエハチャック。
【請求項７】
請求項１に記載のウエハチャックにおいて、前記ウエハチャックとほぼ同一の硬度を有するラッピングツールによって製造されることを特徴とするウエハチャック。
【請求項８】
請求項１に記載のウエハチャックにおいて、ＳｉＣを有するラッピングツールによって製造されることを特徴とするウエハチャック。
【請求項９】
請求項１に記載のウエハチャックにおいて、ドーナツ形の形状を有するラッピングツールによって製造されることを特徴とするウエハチャック。
【請求項１０】
請求項９に記載のウエハチャックにおいて、前記ラッピングツールは、約２８ミリメートルの直径を有し、且つ、約１８０グラムの負荷を前記ウエハチャックに印加することを特徴とするウエハチャック。
【請求項１１】
請求項１０に記載のウエハチャックにおいて、前記ラッピングツールは、約３メートル／分の速度において前記ウエハチャック上において運動することを特徴とするウエハチャック。
【請求項１２】
請求項１に記載のウエハチャックにおいて、前記表面は、複数のピンを有することを特徴とするウエハチャック。
【請求項１３】
請求項１に記載のウエハチャックにおいて、前記支持表面は、ＳｉＣを含むことを特徴とするウエハチャック。
【請求項１４】
請求項１に記載のウエハチャックにおいて、前記支持表面は、反応接合炭化ケイ素を含むことを特徴とするウエハチャック。
【請求項１５】
ウエハチャックのウエハ支持表面をラッピングするための処理ツールであって、前記処理ツールは、
前記ウエハチャックのウエハ支持表面に接触するように構成された接触表面であって、前記ウエハチャックのウエハ支持表面とほぼ同じ硬度を有する接触表面を有し、
前記接触表面は、わずかにドーナツ状をしていることを特徴とする、処理ツール。
【請求項１６】
請求項１５に記載の処理ツールにおいて、前記接触表面は、前記ウエハチャックのウエハ支持表面と類似した材料から製造されていることを特徴とする処理ツール。
【請求項１７】
請求項１５に記載の処理ツールにおいて、前記接触表面は、セラミック材料を含むことを特徴とする処理ツール。
【請求項１８】
請求項１５に記載の処理ツールにおいて、前記接触表面は、ＳｉＣを含むことを特徴とする処理ツール。
【請求項１９】
請求項１５に記載の処理ツールにおいて、前記ウエハ支持表面により支持されるウエハにはダイが存在し、前記接触表面の直径はダイのサイズに対応することを特徴とする処理ツール。
【請求項２０】
請求項１９に記載の処理ツールにおいて、前記ウエハ上のダイは、約３ｍｍ〜約２８ｍｍの範囲のサイズを有することを特徴とする処理ツール。
【請求項２１】
請求項１５に記載の処理ツールにおいて、前記接触表面は、視覚的にフラットに見えることを特徴とする処理ツール。
【請求項２２】
請求項１５に記載の処理ツールにおいて、ラッピング機械に対する装着手段を更に有することを特徴とする処理ツール。
【請求項２３】
被加工物を研削、ラッピング、または研磨する方法において、
（ａ）処理ツールを提供するステップと、
（ｂ）前記処理ツールの接触表面を、前記被加工物と物理的に接触させるステップと、
（ｃ）前記処理ツールの接触表面を、前記被加工物上において運動させ、これにより、前記被加工物にスクラッチを生成し、研磨によって材料を除去するステップとを有し、
前記処理ツールの接触表面は、わずかにドーナツ状をしていることを特徴とする方法。
【請求項２４】
請求項２３に記載の方法において、前記被加工物は、半導体ウエハを支持する表面を有するウエハチャックを具えることを特徴とする方法。
【請求項２５】
請求項２４に記載の方法において、前記ウエハチャックのウエハ支持表面にはピンが存在することを特徴とする方法。
【請求項２６】
請求項２３に記載の方法において、前記運動させるステップは、自重負荷の状況の下で行われることを特徴とする方法。
【請求項２７】
請求項２４に記載の方法において、前記運動させるステップは、前記ウエハチャックに対して主に半径方向に向けられた前記処理ツールの最後のパスを有することを特徴とする方法。
【請求項２８】
請求項２３に記載の方法において、前記運動させるステップは、前記処理ツールが前記ウエハチャックの中心を通って移動させることを含むことを特徴とする方法。
【請求項２９】
請求項２４に記載の方法において、前記運動させるステップは、前記処理ツールの最後のパスが、複数のポイントを有する星形パターンを描くようにすることを含み、前記星形パターンは、少なくとも８つの点を有することを特徴とする方法。
【請求項３０】
請求項２４に記載の方法において、前記運動させるステップは、前記処理ツールの最後のパスが前記ウエハチャックの周囲に沿ってジグザグパターンを描くようにすることを含むことを特徴とする方法。